(57)【要約】【課題】操作端末において表示する文字列の態様が、印字ラベル作成装置で印字形成されるときの文字列の態様と異なるのを防止し、利便性を向上する。【解決手段】ＰＣ１１８のＣＰＵは、所定の定型印字情報作成アプリケーションプログラムを用いて、印字ラベルＬの作成時に使用されるテンプレートＴを作成し、作成されたテンプレートＴに含まれる文字列Ｒ−１を抽出する。またＣＰＵは、所定の定型印字情報転送アプリケーションプログラムの言語情報に基づき、上記テンプレートＴに対して適用すべきフォント種類を決定し、テンプレートＴから抽出された文字列Ｒ−１のフォントを、上記決定されたフォントに変換する。さらに、ＣＰＵは、フォントが変換された文字列Ｒ−１を含むテンプレートＴを表示部１１８ａに表示し、表示されたテンプレートＴを印字ラベル作成装置１へ転送する。【選択図】図７
2013120481.tif 000002
【特許請求の範囲】
【請求項１】
印字ラベルを作成する印字ラベル作成装置に接続可能に構成されるとともに、操作手段と、表示手段と、演算手段と、を備えた操作端末に備えられた、前記演算手段に対し、
前記操作手段を介した操作者の操作に基づき、前記操作端末が接続される前記印字ラベル作成装置に対応させて予め前記演算手段にインストールされた所定の定型印字情報作成アプリケーションプログラムを用いて、前記印字ラベル作成装置での前記印字ラベルの作成時に使用される定型印字情報を、作成する定型印字作成手順と、
前記定型印字作成手順で作成された前記定型印字情報に含まれる文字列を抽出する文字列抽出手順と、
前記定型印字作成手順で作成された前記定型印字情報に関連する定型印字周辺情報、又は、前記文字列抽出手順で前記定型印字情報から抽出された前記文字列に関連する文字列周辺情報、に基づき、前記定型印字情報に対して適用すべきフォントを決定するフォント決定手順と、
前記文字列抽出手順で前記定型印字情報から抽出された前記文字列のフォントを、前記フォント決定手順により決定されたフォントに変換するフォント変換手順と、
前記フォント変換手順でフォントが変換された前記文字列を含む前記定型印字情報を前記表示手段に表示する定型印字表示手順と、
前記操作端末が接続される前記印字ラベル作成装置に対応させて予め前記演算手段にインストールされた所定の定型印字情報転送アプリケーションプログラムを用いて、前記定型印字表示手順で表示された前記定型印字情報を前記印字ラベル作成装置へ転送する定型印字転送手順と、
を実行させるための、定型印字情報処理プログラム。
【請求項２】
請求項１記載の定型印字情報処理プログラムにおいて、
前記演算手段に対し、
前記文字列抽出手順で前記定型印字情報から抽出された前記文字列に含まれる複数の文字それぞれに一対一に対応する複数の文字コードを検出する文字コード検出手順をさらに実行させ、
前記フォント決定手順は、
前記文字コード検出手順で検出された前記文字列周辺情報としての複数の文字コードに、特定の１つの言語のみに対応した文字コードが含まれていた場合には、当該特定の１つの言語に対応させて、前記適用すべきフォントを決定する
ことを特徴とする定型印字情報処理プログラム。
【請求項３】
請求項１又は請求項２記載の定型印字情報処理プログラムにおいて、
前記演算手段に対し、
前記文字列抽出手順で前記定型印字情報から抽出された前記文字列を適宜に区切り、少なくとも１つの単語を生成する単語生成手順をさらに実行させ、
前記フォント決定手順は、
前記単語生成手順で生成された前記文字列周辺情報としての前記少なくとも１つの単語が、特定の１つの言語のみに存在していた場合には、当該特定の１つの言語に対応させて、前記適用すべきフォントを決定する
ことを特徴とする定型印字情報処理プログラム。
【請求項４】
請求項１乃至請求項３のいずれか１項記載の定型印字情報処理プログラムにおいて、
前記演算手段に対し、
前記定型印字情報転送アプリケーションプログラムで使用される言語情報を検出するアプリケーションプログラム言語検出手順をさらに実行させ、
前記フォント決定手順は、
アプリケーションプログラム言語検出手順で検出された前記定型印字周辺情報としての前記言語情報に対応させて、前記適用すべきフォントを決定する
ことを特徴とする定型印字情報処理プログラム。
【請求項５】
印字ラベルを作成する印字ラベル作成装置に接続可能に構成された操作端末が実行する、定型印字情報処理方法であって、
操作者の操作に基づき、前記印字ラベル作成装置での前記印字ラベルの作成時に使用される定型印字情報を、作成する定型印字作成手順と、
前記定型印字作成手順で作成された前記定型印字情報に含まれる文字列を抽出する文字列抽出手順と、
前記定型印字作成手順で作成された前記定型印字情報に関連する定型印字周辺情報、又は、前記文字列抽出手順で前記定型印字情報から抽出された前記文字列に関連する文字列周辺情報、に基づき、前記定型印字情報に対して適用すべきフォントを決定するフォント決定手順と、
前記文字列抽出手順で前記定型印字情報から抽出された前記文字列のフォントを、前記フォント決定手順により決定されたフォントに変換するフォント変換手順と、
前記フォント変換手順でフォントが変換された前記文字列を含む前記定型印字情報を表示する定型印字表示手順と、
前記定型印字表示手順で表示された前記定型印字情報を前記印字ラベル作成装置へ転送する定型印字転送手順と、
を有することを特徴とする定型印字情報処理方法。
【請求項６】
印字ラベルを作成する印字ラベル作成装置に接続可能に構成されるとともに、操作手段と、表示手段と、演算手段と、を備えた操作端末に備えられた、前記演算手段に対し、
前記操作手段を介した操作者の操作に基づき、前記操作端末が接続される前記印字ラベル作成装置に対応させて予め前記演算手段にインストールされた所定の定型印字情報作成アプリケーションプログラムを用いて、前記印字ラベル作成装置での前記印字ラベルの作成時に使用される定型印字情報を、作成する定型印字作成手順と、
前記定型印字作成手順で作成された前記定型印字情報に含まれる文字列を抽出する文字列抽出手順と、
前記定型印字作成手順で作成された前記定型印字情報に関連する定型印字周辺情報、又は、前記文字列抽出手順で前記定型印字情報から抽出された前記文字列に関連する文字列周辺情報、に基づき、前記定型印字情報に対して適用すべきフォントを決定するフォント決定手順と、
前記文字列抽出手順で前記定型印字情報から抽出された前記文字列のフォントを、前記フォント決定手順により決定されたフォントに変換するフォント変換手順と、
前記フォント変換手順でフォントが変換された前記文字列を含む前記定型印字情報を前記表示手段に表示する定型印字表示手順と、
前記操作端末が接続される前記印字ラベル作成装置に対応させて予め前記演算手段にインストールされた所定の定型印字情報転送アプリケーションプログラムを用いて、前記定型印字表示手順で表示された前記定型印字情報を前記印字ラベル作成装置へ転送する定型印字転送手順と、
を実行させるための定型印字情報処理プログラムが、前記演算手段により読み取り可能に記録されていることを特徴とする記録媒体。
【発明の詳細な説明】
【技術分野】
【０００１】
本発明は、印字ラベル作成装置に接続された操作端末で用いられる定型印字情報処理プログラム及び定型印字情報処理方法、並びに、上記定型印字情報処理プログラムを記録した記録媒体に関する。
【背景技術】
【０００２】
操作端末（コンピュータ装置）と印字ラベル作成装置（テープ印刷装置）とが接続され、操作者が操作端末を介し印字ラベル作成装置を操作して印字ラベル（印刷テープ）を作成可能なシステムが既に知られている（例えば、特許文献１参照）。この従来技術では、操作者が所望の態様の印字ラベルを簡単に作成できるように、印字ラベル作成装置では定型印字情報（いわゆるテンプレート）を用いることができる。また、操作端末の演算手段には、所定の定型印字情報作成アプリケーションプログラム（エディタ）が予めインストールされており、上記定型印字情報の内容を所望に編集することができる。操作者は、表示手段（表示装置）での表示により編集後の定型印字情報の内容を確認した後、印字ラベル作成装置に当該定型印字情報を転送することができる。
【先行技術文献】
【特許文献】
【０００３】
【特許文献１】特開２００７−１０８９０９号公報
【発明の概要】
【発明が解決しようとする課題】
【０００４】
上記従来技術では、以下の課題が存在する。
【０００５】
すなわち、定型印字情報には、例えば、枠線や罫線等の線図部分と、その線図部分に対応付けた位置に適宜に配置される文字列部分と、が含まれる（線図部分がない場合もある）。操作端末はパソコン等によって構成されるので、文字列の表示のために多種類のフォントが予め用意されている。一方、印字ラベル作成装置は、機能上の制約により、上記パソコンとは異なり、それほど多くのフォントが用意されていない場合が多い。したがって、操作者により編集された定型印字情報が操作端末の表示手段で表示されたとき、そのときに文字列に使用されているフォントが、印字ラベル作成装置においては用意されていないフォントである可能性がある。
【０００６】
このような場合、操作端末は、そのようなフォントの文字列を備えた定型印字情報を、印字ラベル作成装置が保有する別のフォントに変換して印字ラベル作成装置へ転送する。したがって、操作端末で定型印字情報作成時に使用される多種多様な種類のフォントは、ある範囲の複数種類のフォントごとに集約されて、印字ラベル作成装置で使用される１種類のフォントが対応付けられることとなる。このように、操作端末側と印字ラベル作成装置側とで保有可能なフォントの種類数に差があることに由来し、操作端末で定型印字情報作成時に使用されるフォントと印字ラベル作成装置での印字形成時に使用されるフォントとは、必ずしも一対一には対応しなくなる。
【０００７】
この結果、操作端末で適宜のフォントを用いた文字列を含む定型印字情報が印字ラベル作成装置へ転送された後、その定型印字情報を用いて印字ラベルが作成されたとき、印字形成された文字列の態様が、操作者が定型印字情報の編集時に意図した態様と異なってしまう可能性があった。言い換えれば、印字ラベル作成装置で印字形成されるときの文字列の態様とは異なる態様で、操作端末が文字列を表示する可能性があった。
【０００８】
本発明の目的は、操作端末において表示する文字列の態様が、印字ラベル作成装置で印字形成されるときの文字列の態様と異なるのを防止し、利便性を向上できる、定型印字情報処理プログラム、定型印字情報処理方法、及び記録媒体を提供することにある。
【課題を解決するための手段】
【０００９】
上記目的を達成するために、本願発明の定型印字情報処理プログラムは、印字ラベルを作成する印字ラベル作成装置に接続可能に構成されるとともに、操作手段と、表示手段と、演算手段と、を備えた操作端末に備えられた、前記演算手段に対し、前記操作手段を介した操作者の操作に基づき、前記操作端末が接続される前記印字ラベル作成装置に対応させて予め前記演算手段にインストールされた所定の定型印字情報作成アプリケーションプログラムを用いて、前記印字ラベル作成装置での前記印字ラベルの作成時に使用される定型印字情報を、作成する定型印字作成手順と、前記定型印字作成手順で作成された前記定型印字情報に含まれる文字列を抽出する文字列抽出手順と、前記定型印字作成手順で作成された前記定型印字情報に関連する定型印字周辺情報、又は、前記文字列抽出手順で前記定型印字情報から抽出された前記文字列に関連する文字列周辺情報、に基づき、前記定型印字情報に対して適用すべきフォントを決定するフォント決定手順と、前記文字列抽出手順で前記定型印字情報から抽出された前記文字列のフォントを、前記フォント決定手順により決定されたフォントに変換するフォント変換手順と、前記フォント変換手順でフォントが変換された前記文字列を含む前記定型印字情報を前記表示手段に表示する定型印字表示手順と、前記操作端末が接続される前記印字ラベル作成装置に対応させて予め前記演算手段にインストールされた所定の定型印字情報転送アプリケーションプログラムを用いて、前記定型印字表示手順で表示された前記定型印字情報を前記印字ラベル作成装置へ転送する定型印字転送手順と、を実行させる。
【００１０】
本願発明の対象となる操作端末は、印字ラベル作成装置に接続されている。操作者は、操作端末を介し印字ラベル作成装置を操作することで印字ラベルを作成することができる。このとき、所望の態様の印字ラベルを簡単に作成できるように、印字ラベル作成装置では定型印字情報（いわゆるテンプレート）を用いることができる。また、操作端末の演算手段には、所定の定型印字情報作成アプリケーションプログラムが予めインストールされており、上記定型印字情報の内容を所望に編集することができる。操作者は、表示手段での表示により編集後の定型印字情報の内容を確認した後、印字ラベル作成装置に当該定型印字情報を転送することができる。
【００１１】
そして、本願発明の定型印字情報処理プログラムでは、操作端末側のフォントが印字ラベル作成装置側のフォントと不一致になる前述のような弊害を回避するために、操作端末に、定型印字作成手順、文字列抽出手順、フォント決定手順を実行する。
【００１２】
すなわち、定型印字作成手順で、操作手段を介した操作者の操作に基づき定型印字情報作成アプリケーションプログラムにより定型印字情報が作成されると、文字列抽出手順で、その作成された定型印字情報に含まれる文字列が抽出される。そして、フォント決定手順で、上記文字列に関連する文字列周辺情報（又は、上記定型印字情報に関連する定型印字周辺情報）等に基づき、定型印字情報に対して適用すべきフォントが決定される。文字列周辺情報の例としては、文字列に含まれる各文字に対応する文字コードや、複数の文字列を適宜に区切って生成される単語、等がある。定型印字周辺情報の例としては、印字ラベル作成装置への転送時に用いる定型印字情報転送アプリケーションプログラムで使用される言語情報、等がある。
【００１３】
その後、フォント変換手順で、上記文字列抽出手順で定型印字情報から抽出された文字列のフォントを、上記のように決定されたフォントに変換する。なお、上記のようにしてフォントが変換された文字列を含む定型印字情報は、定型印字表示手順において表示手段で表示された後、定型印字転送手順で印字ラベル作成装置へ転送される。
【００１４】
本願発明では、上記のように、定型印字周辺情報や文字列周辺情報を用いて、定型印字情報に含まれる文字列のフォントを、印字ラベル作成装置側のフォントに対応させたフォントに変換する。これにより、操作端末において表示する文字列の態様が、印字ラベル作成装置で印字形成されるときの文字列の態様と異なるのを防止することができる。この結果、操作者の利便性を向上することができる。
【発明の効果】
【００１５】
本発明によれば、操作端末において表示する文字列の態様が、印字ラベル作成装置で印字形成されるときの文字列の態様と異なるのを防止し、利便性を向上することができる。
【図面の簡単な説明】
【００１６】
【図１】本発明の一実施形態のＰＣ及びその操作対象である印字ラベル作成装置を備えたラベル生成システムを表すシステム構成図である。
【図２】印字ラベル作成装置の外観を前方上方から表す斜視図である。
【図３】印字ラベル作成装置の制御系を表す概念図である。
【図４】編集前のテンプレート、編集後のテンプレート、テンプレートによって生成された印字ラベルそれぞれの例を表す概念的説明図である。
【図５】文字コードを用いたフォントの変換を説明する概念的説明図である。
【図６】比較例においてＣＪＫ統合漢字に対しフォント種類が決定できない様子を表す説明図である。
【図７】本発明の一実施形態において、操作端末にインストールされたアプリケーションプログラムの言語情報によりフォント種類を決定する手法を説明する説明図である。
【図８】ＰＣの表示部に表示される、定型印字情報作成アプリケーションプログラムの入力操作画面を表す説明図である。
【図９】ＰＣの表示部に表示される、定型印字情報転送アプリケーションプログラムの入力操作画面を表す説明図である。
【図１０】印字ラベル作成装置の制御回路により実行される制御手順を表すフローチャートである。
【図１１】ＰＣのＣＰＵにより実行される制御手順を表すフローチャートである。
【図１２】文字列に含まれる固有言語の文字コードでフォントを決定する変形例を示す説明図である。
【図１３】ＰＣのＣＰＵで実行される制御手順を表すフローチャートである。
【図１４】文字列を単語に区切って辞書総当たりでフォントを決定する変形例におけるＰＣのＣＰＵで実行される制御手順を表すフローチャートである。
【発明を実施するための形態】
【００１７】
以下、本発明の一実施の形態を図面を参照しつつ説明する。
【００１８】
本実施形態の印字ラベル作成装置を備えたラベル生成システムを、図１により説明する。
【００１９】
図１に示すこのラベル生成システムＬＳにおいて、印字ラベル作成装置１は、有線あるいは無線による通信回線ＮＷを介してＰＣ１１８（操作端末）に接続されている。上記ＰＣ１１８は、液晶ディスプレイ等の表示部１１８ａ（表示手段）と、キーボードやマウス等である操作部１１８ｂ（操作手段）と、図示しないＣＰＵ（演算手段）やメモリ（ＲＡＭやＲＯＭ）等を備えた制御部を有している。上記ＣＰＵは、ＲＡＭの一時記憶機能を利用しつつＲＯＭに予め記憶されたプログラムに従って処理を行う。このプログラムには、後述する図９の制御手順を実行するための定型印字情報処理プログラム（詳細は後述）が含まれている。なお、当該定型印字情報処理プログラムは、事前にＲＯＭに記憶させておくのではなく、適宜の記録媒体に記録しておいてもよい。この場合、当該記録媒体に対し適宜のタイミングでＰＣ１１８のＣＰＵが読み取りを行って当該定型印字情報処理プログラムの取得を行い、取得後にＣＰＵが当該プログラムを実行する。
【００２０】
印字ラベル作成装置１の構成を図２及び図３を用いて説明する。図２及び図３において、印字ラベル作成装置１は、樹脂製の本体筐体２と、本体筐体２の上側を覆うように後側上端縁部に開閉自在に取り付けられた透明樹脂製の上カバー５とを備えている。上カバー５の前側のフロントカバー６には、印字が形成された後のラベル用テープ３０Ａ（被印字テープ）を外部に排出する排出口６Ａが形成されている。
【００２１】
本体筐体２には、所定幅の上記ラベル用テープ３０Ａがロール状に巻回されたラベル用テープロール３０が収納されている（図３参照）。このラベル用テープ３０Ａは、自己発色性を有する長尺状の感熱シート（いわゆるサーマルペーパー）と、該感熱シートの片面に粘着剤を介して貼り合わされた離型紙とから構成される。ラベル用テープロール３０は、例えばカートリッジ化されたものであり、本体筐体２には、このカートリッジを着脱自在なカートリッジホルダ（図示せず）が設けられている。なお、上記のようなカートリッジ方式ではなく、ラベル用テープロール３０を直接本体筐体２の内部に収納し、ラベル用テープロール３０を本体筐体２の内部で回転させながら、ラベル用テープ３０Ａを繰り出すようにしてもよい。
【００２２】
ラベル用テープロール３０から繰り出されたラベル用テープ３０Ａは、搬送手段としてのプラテンローラ２６により搬送される（図３参照）。プラテンローラ２６は、プラテンローラ用モータ２０８によって駆動される。その駆動により、ラベル用テープ３０Ａに搬送力が働き、ラベル用テープ３０Ａがラベル用テープロール３０から繰り出される。プラテンローラ用モータ２０８の制御は、プラテンローラ駆動回路２０９によって行われる。搬送されるラベル用テープ３０Ａは、サーマルヘッド３１とプラテンローラ２６との間を通って排出口６Ａへと導かれる。なお、センサ２３９は、上記ラベル用テープ３０Ａに適宜の識別用マークが設けられている場合に、当該マークを検出する。
【００２３】
サーマルヘッド３１は、ラベル用テープ３０Ａの搬送方向と直交する方向に、複数個の発熱素子を備えている（図示せず）。サーマルヘッド３１の発熱素子が設けられた面と対向する側に、上記プラテンローラ２６は配置されている。発熱素子には、印字すべきドットパターンデータに従って通電がなされ、これによって、ラベル用テープロール３０から繰り出されたラベル用テープ３０Ａ上に文字や図像等が印字される。サーマルヘッド３１に設けられた各発熱素子の駆動は、印刷駆動回路２０５によって行われる。
【００２４】
排出口６Ａの内側には、固定刃４１Ｂと可動刃４１Ａを備えたカッターユニット４０が配置されている（図３参照）。サーマルヘッド３１により印字が行われたラベル用テープ３０Ａは、切断用モータやソレノイド等のアクチュエータ（図示せず）により所定のタイミングで可動刃４１Ａが往復移動することで切断され、所定長さの印字ラベルＬ（後述の図４（ｃ）参照）となって排出口６Ａから排出される。なお、このようなアクチュエータの駆動力による自動切断動作ではなく、操作者が可動刃４１Ａを手動で往復移動させて切断する、手動切断としてもよい。
【００２５】
排出口６Ａの上側の前面部には、上記キー入力部４が配置されている（図２参照）。キー入力部４は、複数（この例では９個）のキー４Ａ，４Ｂ，４Ｃ，４Ｄ，４Ｅ，４Ｆ，４Ｇ，４Ｈ，４Ｉを備えている。
【００２６】
フロントカバー６の下側縁部には、フロントカバー６の前側を覆うようにトレー部材９が開閉自在に取り付けられている（図２参照）。トレー部材９は、上端部に形成された凹み部９Ａに操作者が指を掛け前側に回動させることにより、開く。なお、図示していないが、本体筐体２の背面部には図示しない電源コードが接続されるインレットと、複数のＵＳＢ（Ｕｎｉｖｅｒｓａｌ  Ｓｅｒｉａｌ  Ｂｕｓ）コネクタとが設けられている。また本体筐体２の適宜の箇所に、上記電源コードを介した給電により装置電源をＯＮ又はＯＦＦする電源スイッチが設けられている（いずれかのキー４Ａ〜４Ｉがこの電源スイッチ機能を備えていてもよい）。上記ＵＳＢコネクタを用いることで、通信回線ＮＷを介してＰＣ１１８との接続が可能となる。
【００２７】
制御回路２１０は、いわゆるマイクロコンピュータであり、例えばＲＡＭやＲＯＭからなるメモリ２１０Ａを備える。また制御回路２１０は、メモリ２１０Ａ以外にも、詳細な図示を省略するが、中央演算処理装置であるＣＰＵ等を備えている。このＣＰＵは、ＲＡＭの一時記憶機能を利用しつつＲＯＭに予め記憶されたプログラムに従って処理を行う。このプログラムには、後述する図１０の制御手順を実行するための印字ラベル作成プログラムが含まれている。制御回路２１０は、プラテンローラ駆動回路２０９及び印刷駆動回路２０５等を介し、印字ラベル作成装置１全体の動作を制御する。すなわち、制御回路２１０は、ＰＣ１１８から転送されてきた編集後の印字データ（後述のテンプレートを含む）に従って、プラテンローラ２６によりラベル用テープ３０Ａを繰り出しつつサーマルヘッド３１による印刷を行わせ、印字ラベルＬを作成する。
【００２８】
また制御回路２１０には、上記キー入力部４が接続されている。図示を省略しているが、上記切断用のアクチュエータを制御する切断用駆動回路も接続される。なお、制御回路２１０は、上記電源コードに接続された電源回路２１１Ａにより給電されるとともに、通信回路２１１Ｂを介し上記通信回線ＮＷに接続されている。この結果、制御回路２１０は、通信回線ＮＷに接続された上記ＰＣ１１８や、さらには図示しないサーバ、他の端末等との間で情報のやりとりが可能となっている。
【００２９】
＜本実施形態の特徴＞
上記の基本構成において、本実施形態の特徴は、操作者がＰＣ１１８でテンプレートを編集する際に表示される文字列の態様（フォントの種類）を、その後印字ラベル作成装置１で文字列を印字形成するときの態様（フォントの種類）に近づけることにある。以下、その詳細を順を追って説明する。
【００３０】
＜テンプレートを用いた印字ラベルの作成＞
本実施形態では、前述したように、ＰＣ１１８が印字ラベル作成装置１に接続されている。操作者は、ＰＣ１１８の操作部１１８ｂを介し表示部１１８ａの編集画面で編集操作を行うことで印字ラベルＬを作成することができる。このとき、所望の態様の印字ラベルＬを簡単に作成できるように、本実施形態では、定型印字情報としてのテンプレートが用意されている。テンプレートには、一般的に、枠線や罫線等の線図部分や、その線図部分に対応付けた位置に適宜に配置される文字列部分とが含まれる（線図部分がない場合もある）。また文字列部分は、通常、操作者が自由に操作入力できる部分を含む。本実施形態では、操作者は、ＰＣ１１８において、テンプレートに対して適宜の入力を行って上記文字列部分を編集した後、その編集後のテンプレートを印字ラベル作成装置１に転送することで、当該テンプレートを用いて印字ラベルＬを作成することができる。
【００３１】
上記編集前の原型テンプレートＴ−０の概念的構成を図４（ａ）に示す。図４（ａ）において、原型テンプレートＴ−０では、この例では５つの文字列に対応したテキスト印字（この例では後述のように「名古屋太郎」の文字）のための領域ＡＲ−１が予め用意されている。なお、この時点では領域ＡＲ−１には何も入力がなされず、実際には空欄のままである。
【００３２】
操作者は、表示部１１８ａの編集画面に上記原型テンプレートＴ−０を表示させた状態で、操作部１１８ｂにより所望に編集を行うことができる。この編集のために、ＰＣ１１８の上記ＣＰＵには、所定の定型印字情報作成アプリケーションプログラム（いわゆるエディタ）が予めインストールされている。この編集後のテンプレートＴの概念的構成を図４（ｂ）に示す。図４（ｂ）において、この例では、領域ＡＲ−１に対し、操作者の上記編集により「名古屋太郎」の文字列Ｒ−１が入力されている。
【００３３】
ここで、ＰＣ１１８の上記ＣＰＵには、所定の定型印字情報転送アプリケーションプログラム（いわゆるトランスファーマネージャ）が予めインストールされている。操作者は、上記定型印字情報転送アプリケーションプログラムによる表示部１１８ａでの所定の転送画面の表示により編集後のテンプレートＴの内容を確認した後、印字ラベル作成装置１に当該テンプレートＴを転送することができる。印字ラベル作成装置１は、この転送されたテンプレートＴを用いて、印字ラベルＬを作成する。生成された印字ラベルＬの一例を図４（ｃ）に示す。図４（ｃ）において、この例では、印字ラベルＬには、上記テンプレートＴの「名古屋太郎」の文字列Ｒ−１に対応した、「名古屋太郎」の文字列Ｒ−２が印字形成されている。なお、上記の転送後は、ＰＣ１１８と印字ラベル作成装置１との接続を切り離した印字ラベル作成装置１単独の状態で、印字ラベルＬを作成可能としてもよい。
【００３４】
＜フォント種類の集約、変換＞
ところで、ＰＣ１１８は、通常のパソコン等によって構成されるので、文字の形を表現するフォントデータとして、多種類のフォントが予め用意されている。一方、印字ラベル作成装置１は、機能上の制約により、上記パソコンとは異なり、それほど多くのフォントが用意されていない場合が多い。したがって、操作者により編集されたテンプレートＴがＰＣ１１８の表示部１１８ａで表示されたとき、そのときに文字列Ｒ−１に使用されているフォントが、印字ラベル作成装置１においては用意されていないフォントである可能性がある。
【００３５】
そこで、ＰＣ１１８は、上記のようなフォントの文字列を備えたテンプレートＴが作成された場合、そのテンプレートＴの文字列を、印字ラベル作成装置１が保有する別のフォントに変換して印字ラベル作成装置１へ転送する。したがって、ＰＣ１１８でテンプレートＴの作成時に使用される多種多様な種類のフォントは、ある範囲の複数種類のフォントごとに集約されて、印字ラベル作成装置１で使用される１種類のフォントが対応付けられることとなる。本実施形態では、そのような変換の一例として、文字コードを用いた変換が行われる。本実施形態のＰＣ１１８で実行される、上記の文字コードを用いた変換を図５を用いて説明する。
【００３６】
本実施形態では、図５に示す文字コード表ＬＣがＰＣ１１８に組み込まれている。文字コード表ＬＣには、例えば世界中のすべての言語のすべての文字や記号に対し１つ１つの文字コードが対応付けられている。この文字コードは、例えば１６進数で表される（後述の図６も参照）。そして、ＰＣ１１８では、例えば「名古屋太郎」という文字列Ｒ−１が備えられたテンプレートＴが、ゴシック体フォントを用いて作成された場合であっても、明朝体フォントを用いて作成された場合であっても、行書体フォントを用いて作成された場合であっても、当該文字列Ｒ−１が、「名」「古」「屋」「太」「郎」それぞれの文字コード（例えば、１６進数表記）に変換される。そして、ＰＣ１１８では、例えば、「名」「古」「屋」「太」「郎」それぞれの文字コードが日本語に相当する文字コードであることに対応し、日本語に対して一義的に定められた所定の日本語フォント（この例では美杉ゴシック体）を、上記「名」「古」「屋」「太」「郎」それぞれの文字コードに対応付けて、印字ラベル作成装置１へ転送する。これにより、印字ラベル作成装置１は、「名古屋太郎」の文字列Ｒ−２が美杉ゴシック体フォントを用いて形成された、印字ラベルＬを作成する。すなわち、ＰＣ１１８においてテンプレートＴの作成時に使用された、ゴシック体、明朝体、行書体、の３種類のフォントが、印字ラベル作成装置１側の機能に対応させて、美杉ゴシック体という１種類のフォントに集約される形で変換される。以上のようにして、本実施形態では、ＰＣ１１８で使用される多種多様な種類のフォントは、ある範囲の複数種類のフォントごとに、印字ラベル作成装置１で使用される１種類のフォントが対応付けられる。
【００３７】
＜フォント種類の不一致による弊害＞
上記のように、ＰＣ１１８側と印字ラベル作成装置１側とで保有可能なフォントの種類数に差があることに由来し、ＰＣ１１８で使用されるフォントと印字ラベル作成装置１で使用されるフォントとは、必ずしも一対一には対応していない。この結果、ＰＣ１１８で適宜のフォントを用いた文字列を含むテンプレートＴが印字ラベル作成装置１へ転送された後、そのテンプレートＴを用いて印字ラベル作成装置１が印字ラベルＬを作成したとき、印字形成された文字列の態様が、操作者がテンプレートＴの編集時に意図した態様と大きく異なってしまう可能性がある。言い換えれば、操作者がテンプレートＴの編集時にＰＣ１１８の表示部１１８ａで表示される文字列の態様が、印字ラベル作成装置１で印字形成されるときの文字列の態様とは大きく異なっている可能性がある。特に、上記のような弊害が顕著に起こりうる例を、本実施形態の比較例として、図６を用いて説明する。
【００３８】
＜ＣＪＫ統合文字コードエリア＞
図６において、前述の文字コード表ＬＣは、通常、基本的に、各国の言語毎に領域分けされている。図示の例では、日本語の文字に対応した日本語文字コード領域ＬＣａ、中国語の文字に対応した中国語文字コード領域ＬＣｂ、韓国語の文字に対応した韓国語文字コード領域ＬＣｃが設けられている。しかしながら、単純に各国毎に領域分けを行ったのでは膨大な数の文字コードが必要となることから、複数の言語に共通の文字については、当該共通の文字用の領域を別個設けて配置している。図示の例では中国語、日本語、韓国語に共通の文字（いわゆるＣＪＫ統合漢字）について、ＣＪＫ統合漢字文字コード領域ＬＣｘが設けられている。そして、日本語の文字のうち上記ＣＪＫ統合漢字に該当しない文字（すなわち日本語固有の文字）が上記日本語文字コード領域ＬＣａに配置され、中国語の文字のうち上記ＣＪＫ統合漢字に該当しない文字（すなわち中国語固有の文字）が上記中国語文字コード領域ＬＣｂに配置され、韓国語の文字のうち上記ＣＪＫ統合漢字に該当しない文字（すなわち韓国語固有の文字）が上記韓国語文字コード領域ＬＣｃに配置されている。
【００３９】
上述したように、ＰＣ１１８は、上記文字コード表ＬＣを用いて、テンプレートＴの文字列を文字コードに変換し、当該文字コードに対し一義的に定められたフォントを対応付けて印字ラベル作成装置１へ転送する。例えば、テンプレートＴの文字列Ｒ−１それぞれの文字コードが上記日本語文字コード領域ＬＣａに配置されている場合には、前述のように、日本語に対して一義的に定められた所定の日本語フォント（美杉ゴシック体）を対応付けることができる。また、テンプレートＴの文字列Ｒ−１それぞれの文字コードが上記中国文字コード領域ＬＣｂに配置されている場合には、中国語に対して一義的に定められた所定の中国語フォント（図示の例では、Ｓｉｍｈｅｉ）を対応付けることができる。また、テンプレートＴの文字列Ｒ−１それぞれの文字コードが上記韓国文字コード領域ＬＣｃに配置されている場合には、韓国語に対して一義的に定められた所定の韓国語フォント（図示の例では、ＵｎＰｅｎ）を対応付けることができる。
【００４０】
ここで、図６に示すように、例えば、「日本  中国」という文字列Ｒ−１を含むテンプレートＴが作成された場合を考える。これら「日」「本」「中」「国」の文字は、いずれも、日本語にも中国語にも韓国語にも存在して共用される文字であることから、それぞれの文字は、上記文字コード表ＬＣの上記ＣＪＫ統合漢字文字コード領域ＬＣｘに配置されている。このような場合には、上述の手法のままでは、ＰＣ１１８は、上記日本語フォント（美杉ゴシック体）、中国語フォント（Ｓｉｍｈｅｉ）、韓国語フォント（図示の例では、ＵｎＰｅｎ）のいずれを対応付けるかを、一義的に決定することができない。この結果、テンプレートＴが印字ラベル作成装置１へ転送された後、そのテンプレートＴを用いて印字ラベルＬが作成されたとき、印字ラベルＬに印字形成された文字列の態様が、操作者が編集時に意図した態様と異なってしまう可能性がある。具体的には、例えば、操作者が中国語としての「日本  中国」を印字形成した印字ラベルＬを作成することを意図している（本来ならフォント種類としてＳｉｍｐｅｉを使用すべき）のに、印字ラベル作成装置１が美杉ゴシック体の「日本  中国」を印字形成したり、操作者が日本語としての「日本  中国」を印字形成した印字ラベルＬを作成することを意図している（本来ならフォント種類として美杉ゴシックを使用すべき）のに、印字ラベル作成装置１がＵｎＰｅｎの「日本  中国」を印字形成したりする場合が起こりうる。
【００４１】
＜本実施形態の手法＞
そこで、本実施形態では、上記のようなフォント種類の不一致による弊害を回避するために、前述した定型印字情報転送アプリケーションプログラムで使用される言語に基づいて、テンプレートＴの表示時に使用するフォントの種類を決定する。
【００４２】
すなわち、図７に示すように、印字ラベル作成装置１には、前述の定型印字情報作成アプリケーションプログラムと定型印字情報転送アプリケーションプログラムとが（例えば適宜のディスク等の記録媒体に記録される形で）同梱されている。通常、ＰＣ１１８を印字ラベル作成装置１に接続する前に、当該ＰＣ１１８に対して上記定型印字情報作成アプリケーションプログラムと上記定型印字情報転送アプリケーションプログラムとがインストールされる。
【００４３】
ここで、通常、印字ラベル作成装置１は、操作者が使用する各国（各仕向地）ごとに仕様が異なる。そして、世界各国で使用される種々の言語は、既に述べたように、各言語に固有の字体などに対応する形で固有のフォントに対応付けられている場合が多い。そして、印字ラベル作成装置１に同梱された上記アプリケーションプログラムをＰＣ１１８がインストールした場合には、当該アプリケーションプログラムの言語は、印字ラベル作成装置１に対応しているはずである。本実施形態ではこのことを利用し、印字ラベル作成装置１への転送時に用いる定型印字情報転送アプリケーションプログラムで使用される言語情報を検出し、その検出された言語情報を定型印字周辺情報として用いて、テンプレートＴを表示する際に適用すべきフォントの種類を決定する。
【００４４】
＜テンプレート作成時の入力操作画面＞
図８は、上記ＰＣ１１８のＣＰＵにインストールされた上記定型印字情報作成アプリケーションプログラムに基づき、表示部１１８ａに表示される入力操作画面１６Ａの一例を示している。図８において、入力操作画面１６Ａ上には、編集データの各種処理を行うための処理アイコン１６ａと、編集用アイコン１６ｂと、編集プレビュー表示画面１６ｃと、フォント種類表示欄１６ｅと、文字サイズ表示欄１６ｆと、が備えられている。
【００４５】
編集プレビュー表示画面１６ｃには、操作者による操作部１１８ｂを介した適宜の操作によって、定型印字情報作成アプリケーションプログラムによるテンプレートＴが作成される。フォント種類表示欄１６ｅには、この例では、文字列Ｒ−１を形成するフォント種類としてゴシック体が使用されている状態を表している。
【００４６】
なお、プレビュー表示画面１６ｃの下側には、編集終了ボタン１６ｄが設けられている。例えば操作者が操作部１１８ｂを操作してこの編集終了ボタン１６ｄをクリックすることで、入力操作画面１６Ａ上において、定型印字情報転送アプリケーションプログラムの入力操作画面１７Ａが自動的に開く。
【００４７】
＜テンプレート転送時の入力操作画面＞
図９に上記入力操作画面１７Ａの一例を示す。このとき、上述したように、本実施形態では、上記定型印字情報転送アプリケーションプログラムで使用される言語情報に基づき、テンプレートＴを表示する際に適用すべきフォントの種類が決定される。この入力操作画面１７Ａは、上記言語情報が中国語であった場合、言い換えれば、印字ラベル作成装置１の仕向地が中国であった場合、を例にとって示している。
【００４８】
この入力操作画面１７Ａには、印字ラベル作成装置１の機種名を選択可能に表示する機器表示ボックス１７ａと、「転送（但し、中国語表記である）」ボタン１７ｂと、「閉じる（但し、中国語表記である）」ボタン１７ｃと、ＰＣ１１８で用意されている複数のテンプレートＴをリスト表示するテンプレート一覧ボックス１７ｄと、各テンプレートＴに対応したプレビュー画像が表示される転送プレビュー表示画面１７ｆと、が設けられている。
【００４９】
機器表示ボックス１７ａには、この例では、複数の印字ラベル作成装置１の機種名が一括して表示（この例ではプルダウン表示）される。操作者が操作部１１８ｂを適宜に操作し、このようにして表示された印字ラベル作成装置１の機種名のうち、いずれか１つを選択すると、当該選択された機種名に対応したテンプレートＴが検索される。この検索結果が、上記テンプレート一覧ボックス１７ｄにリスト表示される。
【００５０】
テンプレート一覧ボックス１７ｄには、各テンプレートＴの名称、バージョン名、容量（サイズ）がこの順序で表示されている。この例では、上記機器表示ボックス１７ａでの「ＱＬ−７００」の選択に対応するテンプレートＴとして、「備品管理ラベル（１８ｍｍ）テンプレート」「備品管理ラベル（２４ｍｍ）テンプレート」「ファイルラベル（１２ｍｍ）テンプレート」「ファイルラベル（１８ｍｍ）テンプレート」「名札ラベル（１８ｍｍ）テンプレート」「名札ラベル（２４ｍｍ）テンプレート」の６種類が、中国語表記で表示されている。
【００５１】
一方、テンプレート一覧ボックス１７ｄの各テンプレートＴの名称の表示の左端には、当該テンプレートＴを操作者が選択可能とするためのチェックボックスが設けられている。操作者が操作部１１８ｂを適宜に操作し、上記一覧表示されたテンプレートＴのいずれかのチェックボックスにチェックを入れて選択すると、転送プレビュー表示画面１７ｆにこのテンプレートＴの画像がプレビュー表示される。前述したように、図８の編集プレビュー表示画面１６ｃでのテンプレートＴの「日本  中国」の文字列Ｒ−１は、操作者によるテンプレート作成時のフォント種類、すなわちゴシック体での表示となっていた。これに対し、この転送プレビュー表示画面１７ｆでのテンプレートＴの「日本  中国」の文字列Ｒ−１は、中国語に対応したフォント種類、すなわちＳｈｉｍＨｅｉでの表示となっている。
【００５２】
そして、操作者が操作部１１８ｂの適宜の操作により上記「転送」ボタン１７ｂを押すことにより、上記のようにして選択されたテンプレートＴがＰＣ１１８から印字ラベル作成装置１へ転送される。なお、図示の例では、「ファイルラベル（１２ｍｍ）テンプレート」のチェックボックスにチェックが入れられて選択されている状態を示している。なお、上記「閉じる」ボタン１７ｃは、この入力操作画面１７Ａをクローズする（もしくは移行前の前画面に移行する）ためのボタンである。
【００５３】
＜印字ラベル作成装置での制御手順＞
上述の手法を実現するために、印字ラベル作成装置１の制御回路２１０の上記ＣＰＵが実行するラベル作成処理の内容を、図１０により説明する。
【００５４】
まずステップＳ１０において、制御回路２１０の上記ＣＰＵは、ＰＣ１１８から既に文字列のフォント種類が決定された状態（後述するステップＳ１５０参照）で取得され上記メモリ２１０Ａに記憶されていたテンプレートＴを、当該メモリ２１０Ａから読み込む。
【００５５】
その後、ステップＳ２０において、制御回路２１０の上記ＣＰＵは、プラテンローラ駆動回路２０９に制御信号を出力する。これにより、プラテンローラ用モータ２０８がプラテンローラ２６を駆動し、ラベル用テープ３０Ａの搬送を開始する。
【００５６】
そして、ステップＳ３０において、制御回路２１０の上記ＣＰＵは、上記ステップＳ１０で読み込まれたテンプレートＴを用いて印字データを生成し、当該生成された印字データに応じた制御信号を印刷駆動回路２０５に出力する。これにより、サーマルヘッド３１が、ラベル用テープ３０Ａに対し、上記印字データに対応したテンプレートＴ（前述した文字列Ｒ−２を含む）の印字を開始する。
【００５７】
その後、ステップＳ４０で、制御回路２１０の上記ＣＰＵは、ラベル用テープ３０Ａへの印字が完了したかどうかを判定する。ラベル用テープ３０Ａへの印字が完了した場合、ステップＳ４０の判定が満たされ（Ｓ４０：ＹＥＳ）、ステップＳ５０へ移行する。ラベル用テープ３０Ａへの印字が完了していない場合（Ｓ４０：ＮＯ）、ステップＳ４０の判定が満たされるまでループ待機する。
【００５８】
ステップＳ５０では、制御回路２１０の上記ＣＰＵは、ラベル用テープ３０Ａが所定の切断位置に達したかどうか、すなわち、例えば、サーマルヘッド３１による印刷の範囲の末端部が、カッターユニット４０の固定刃４１から所定の長さ分、搬送されたかどうかを判定する。この判定は、例えば、上記ラベル用テープ３０Ａに設けた適宜の識別用マークを、上記センサ２３９で検出することにより行えば足りる。あるいは、ある基準位置からの搬送距離を所定の公知の方法（ステッピングモータであるプラテンローラ用モータ２０８を駆動するプラテンローラ駆動回路２０９の出力するパルス数をカウントする等）で検出するようにしてもよい。ラベル用テープ３０Ａが所定の切断位置に達した場合、ステップＳ５０の判定が満たされ（Ｓ５０：ＹＥＳ）、ステップＳ６０へ移行する。ラベル用テープ３０Ａが所定の切断位置に達していない場合（Ｓ５０：ＮＯ）、ステップＳ５０の判定が満たされるまでループ待機する。
【００５９】
ステップＳ６０では、制御回路２１０の上記ＣＰＵは、例えばプラテンローラ駆動回路２０９への制御信号の出力を停止する。これにより、プラテンローラ２６の回転が停止し、ラベル用テープ３０Ａの搬送が停止する。
【００６０】
そしてステップＳ７０において、制御回路２１０の上記ＣＰＵは、切断用駆動回路に制御信号を出力する。これにより、上記アクチュエータがカッターユニット４０の可動刃４１Ａを駆動し、可動刃４１Ａがラベル用テープ３０Ａを切断する。これにより、例えば前述の図４（ｃ）に示した、文字列Ｒ−２が印字形成された印字ラベルＬが生成される。その後、このルーチンを終了する。
【００６１】
＜ＰＣでの制御手順＞
次に、上述の手法を実現するために、ＰＣ１１８の上記ＣＰＵが実行するテンプレート作成処理（定型印字情報処理方法）の内容を、図１１により説明する。
【００６２】
まずステップＳ１１０において、ＰＣ１１８のＣＰＵは、操作部１１８ｂを介し、操作者により、ラベル作成のための適宜の編集操作（原型テンプレートの選択、読み込み、文字入力等）があったかどうかを判定する。編集操作があった場合、ステップＳ１１０の判定が満たされ（Ｓ１１０：ＹＥＳ）、ステップＳ１２０へ移行する。編集操作が無かった場合、ステップＳ１１０の判定が満たされず（Ｓ１１０：ＮＯ）、ＣＰＵは編集操作があるまでループ待機する。
【００６３】
ステップＳ１２０では、上記操作部１１８ｂを介した、上記入力操作画面１６Ａ上での操作者の操作に対応して、ＰＣ１１８のＣＰＵは、上記定型印字情報作成アプリケーションプログラムに基づきテンプレートＴを作成する。これにより、前述の例では、上記原型テンプレートＴ−０の領域ＡＲ−１に適宜の文字列Ｒ−１が入力された、上記テンプレートが完成する。
【００６４】
その後、ステップＳ１３０では、上記操作部１１８ｂを介した、上記入力操作画面１６Ａ上での「ｅｎｄ」ボタンの操作に対応して、ＰＣ１１８のＣＰＵは、定型印字情報転送アプリケーションプログラムを起動して入力操作画面１７Ａ上を開く。そして、ＰＣ１１８のＣＰＵは、上記ステップＳ１２０で作成されたテンプレートＴに含まれる文字列Ｒ−１を抽出する。その後、ステップＳ１４０に移る。
【００６５】
ステップＳ１４０では、ＰＣ１１８のＣＰＵは、上記のようにしてステップＳ１３０で起動された定型印字情報転送アプリケーションプログラムで使用される言語を表す言語情報を検出する。
【００６６】
その後、ＰＣ１１８のＣＰＵは、ステップＳ１５０で、ステップＳ１４０で検出された言語情報に基づき、文字列Ｒ−１を含むテンプレートＴに対して適用すべきフォントの種類を決定し、ステップＳ１６０で、上記文字列Ｒ−１のフォント種類を、当該ステップＳ１５０で決定したフォント種類に設定（変換）する。その後、ステップＳ１７０に移る。
【００６７】
ステップＳ１７０では、ＰＣ１１８のＣＰＵは、ステップＳ１６０で文字列Ｒ−１のフォント種類が変換されたテンプレートＴを、上記定型印字情報転送アプリケーションプログラムによる上記入力操作画面１７Ａ上の転送プレビュー表示画面１７ｆに表示する。その後、ステップＳ１８０に移る。
【００６８】
ステップＳ１８０では、ＰＣ１１８のＣＰＵは、上記操作部１１８ｂを介して、転送プレビュー表示画面１７ｆに表示された上記「転送」ボタン１７ｂが操作されたか否か、を判定する。「転送」ボタン１７ｂが操作された場合、ステップＳ１８０の判定が満たされ（Ｓ１８０：ＹＥＳ）、ステップＳ１９０へ移行する。「転送」ボタン１７ｂが操作されていない場合、ステップＳ１８０の判定が満たされず（Ｓ１８０：ＮＯ）、「転送」ボタン１７ｂが操作されるまでループ待機する。
【００６９】
ステップＳ１９０では、ＰＣ１１８のＣＰＵは、定型印字情報転送アプリケーションプログラムに基づき、転送プレビュー表示画面１７ｆに表示されたテンプレートＴを印字ラベル作成装置１へ転送する。その後、このルーチンを終了する。
【００７０】
なお、上記ステップＳ１２０が各請求項記載の定型印字作成手順に相当し、ステップＳ１３０が各請求項記載の文字列抽出手順に相当し、ステップＳ１４０が各請求項記載のアプリケーションプログラム言語検出手順に相当し、ステップＳ１５０が各請求項記載のフォント決定手順に相当し、ステップＳ１６０が各請求項記載のフォント変換手順に相当し、ステップＳ１７０が各請求項記載の定型印字表示手順に相当し、ステップＳ１９０が各請求項記載の定型印字転送手順に相当する。
【００７１】
以上説明したように、本実施形態のＰＣ印字ラベル作成装置１においては、定型印字情報転送アプリケーションプログラムの言語情報（定型印字周辺情報に相当）を用いて、テンプレートＴに含まれる文字列Ｒ−１のフォントを印字ラベル作成装置１側のフォントに対応させたフォントに変換する。これにより、操作端末ＰＣ１１８において表示する文字列Ｒ−１の態様が、印字ラベル作成装置１で印字形成されるときの文字列Ｒ−２の態様と異なるのを防止することができる。この結果、操作者の利便性を向上することができる。
【００７２】
なお、本発明は、上記実施形態に限られず、技術的思想を逸脱しない範囲内で種々の変形が可能である。以下、そのような変形例を順を追って説明する。なお、各変形例において、上記実施形態と同等の部分や同等の手順には同一の符号を付し、適宜説明を省略又は簡略化する。
【００７３】
（１）テンプレートの文字列中の固有言語の文字コードでフォントを決定する場合
この変形例では、図５や図６を用いて前述したように、テンプレートＴの文字列Ｒ−１に含まれる各文字を文字コード化したとき、その中の少なくとも１つが、文字コード表ＬＣの前述の共通の文字用の領域（上記の例ではＣＪＫ統合漢字文字コード領域ＬＣｘ）でなく、特定の言語に固有の領域（上記の例では、日本語文字コード領域ＬＣａ、中国語文字コード領域ＬＣｂ、韓国語文字コード領域ＬＣｃ）に存在した場合、当該文字列Ｒ−１に適用すべきフォント種類は、当該特定の言語に対応するフォントとみなされる。すなわち、図１２に示す例では、テンプレートＴに「日本と中国」の文字列Ｒ−１が含まれている。前述のように「日」「本」「中」「国」の各文字は、中国語、日本語、韓国語に共通のＣＪＫ統合漢字であり、文字コード表ＬＣのＣＪＫ統合漢字文字コード領域ＬＣｘに属する。これに対して、「と」の文字は、日本語にのみ存在する文字であり、日本語文字コード領域ＬＣａに属する。これにより、定型印字情報転送アプリケーションプログラムの入力操作画面１７Ａの転送プレビュー表示画面１７ｆにおいて、当該テンプレートＴの「日本と中国」の文字列Ｒ−１は、日本語に対応したフォント種類である上記美杉ゴシックでの表示となる。
【００７４】
図１３は、本変形例のＰＣ１１８の上記ＣＰＵが実行するテンプレート作成処理（定型印字情報処理方法）の内容を表すフローチャートである。上記図１１と同等の手順には同一の符号を付し、適宜説明を省略又は簡略化する。図１３において、本変形例では、図１１のステップＳ１４０に代えて、新たにステップＳ２４０が設けられる。すなわち、前述と同様のステップＳ１１０、ステップＳ１２０を経て、ステップＳ１３０でテンプレートＴ中の文字列Ｒ−１の抽出が行われた後、新たに設けた、ステップＳ２４０に移る。
【００７５】
ステップＳ２４０では、ＰＣ１１８のＣＰＵは、テンプレートＴから抽出された文字列Ｒ−１に含まれる複数の文字それぞれに一対一に対応する複数の文字コード（本変形例における文字列周辺情報に相当）を検出する。なお、このステップＳ２４０が、各請求項記載の文字コード検出手順に相当する。その後、ステップＳ１５０へ移る。
【００７６】
本変形例のステップＳ１５０では、ＰＣ１１８のＣＰＵは、上記ステップＳ２４０で検出されたすべての文字コードの中に、特定の１つの言語のみに対応した文字コードがあるかどうかを調べる。そして、特定の１つの言語のみに対応した文字コードがあった場合には、当該特定の１つの言語に対応させてフォント種類を決定する。なお、特定の１つの言語のみに対応した文字コードがなかった場合には、例えば、前述の図１１で説明したように定型印字情報転送アプリケーションプログラムでの使用言語によってフォント種類を決定すればよい。
【００７７】
以降のステップＳ１６０、ステップＳ１７０、ステップＳ１８０、ステップＳ１９０は図１１と同様の処理であり、説明を省略する。
【００７８】
本変形例によれば、テンプレートＴの文字列Ｒ−１の文字コードの中に、特定の１つの言語のみに対応した文字コードがあった場合には、当該特定の１つの言語に対応させて文字列Ｒ−１を表示するためのフォント種類を決定する。これにより、ＰＣ１１８の上記入力操作画面１７Ａにおいて表示する文字列Ｒ−１の態様を、印字ラベル作成装置１で印字形成されるときの文字列Ｒ−２の態様に、確実に一致させることができる。
【００７９】
（２）テンプレートの文字列を単語に区切って辞書検索する場合
この変形例では、予めＰＣ１１８に、世界で用いられている複数の言語それぞれの辞書データベース（図示せず）が備えられている。そして、例えば図１４（ａ）に示すように、テンプレートＴに含まれる文字列Ｒ−１を適宜に単語に区切り、各単語が、上記各言語の辞書に含まれているかどうかが検索される。そして、検索がヒットした辞書があった場合は、当該辞書の言語に対応したフォント種類を適用して、当該文字列Ｒ−１の表示が行われる。図示の例では、「好看女子」の文字列Ｒ−１がテンプレートＴに含まれた場合、例えばまず「好看」という単語を生成し、これをキーワードとして各辞書データベースの検索が行われる。いずれの辞書データベースに対しても検索がヒットしなかったら、次に「看女」という単語を生成して（図中の区分イを参照）各辞書データベースの検索が行われる。いずれの辞書データベースに対しても検索がヒットしなかったら、さらに「女子」という単語を生成して（図中の区分ロを参照）検索が行われる。単語「女子」は日本語辞書データベースにヒットし、上記文字列「好看女子」の文字列Ｒ−１を表示する際のフォント種類が、日本語に対応したフォント（前述の例では美杉ゴシック）に決定される。
【００８０】
図１４（ｂ）は、本変形例のＰＣ１１８の上記ＣＰＵが実行するテンプレート作成処理（定型印字情報処理方法）の内容を表すフローチャートである。上記図１１及び図１３と同等の手順には同一の符号を付し、適宜説明を省略又は簡略化する。図１４（ｂ）において、本変形例では、図１１のステップＳ１４０に代えて、新たにステップＳ３４０が設けられる。すなわち、前述と同様のステップＳ１１０、ステップＳ１２０を経て、ステップＳ１３０でテンプレートＴ中の文字列Ｒ−１の抽出が行われた後、新たに設けた、ステップＳ３４０に移る。
【００８１】
ステップＳ３４０では、ＰＣ１１８のＣＰＵは、前述したように、テンプレートＴから抽出された文字列Ｒ−１を前述のようにして適宜に区切ることにより、検索用の単語（本変形例における文字列周辺情報に相当）を順次生成する。なお、このステップＳ３４０が、各請求項記載の単語生成手順に相当する。その後、ステップＳ１５０へ移る。
【００８２】
本変形例のステップＳ１５０では、ＰＣ１１８のＣＰＵは、上記ステップＳ３４０で順次生成された単語が、上記各国の言語の辞書データベースに存在するかどうかを検索する。そして、特定の１つの言語の辞書データベースに当該単語が存在した場合には、当該特定の１つの言語に対応させてフォント種類を決定する。なお、ステップＳ３４０で種々区切りを変化させて生成したすべての単語について、当該単語が存在する辞書データベースがなかった場合には、例えば、前述の図１１で説明したように定型印字情報転送アプリケーションプログラムでの使用言語によってフォント種類を決定すればよい。あるいは、上記図１３のフローの変形例に示した手法で決定してもよい。
【００８３】
以降のステップＳ１６０、ステップＳ１７０、ステップＳ１８０、ステップＳ１９０は図１１と同様の処理であり、説明を省略する。
【００８４】
本変形例によれば、テンプレートＴの文字列Ｒ−１を適宜に区切って少なくとも１つの単語を生成し、当該単語が、特定の１つの言語の辞書データベースに存在していた場合には、当該特定の１つの言語に対応させて、文字列Ｒ−１を表示するためのフォント種類を決定する。これにより、ＰＣ１１８の上記入力操作画面１７Ａにおいて表示する文字列Ｒ−１の態様を、印字ラベル作成装置１で印字形成されるときの文字列Ｒ−２の態様に、確実に一致させることができる。
【００８５】
なお、上記図１０、図１１、図１３、図１４の各図におけるフローチャートは本発明を上記フローに示す手順に限定するものではなく、発明の趣旨及び技術的思想を逸脱しない範囲内で手順の追加・削除又は順番の変更等をしてもよい。
【００８６】
また、上記図３中に示す矢印は信号の流れの一例を示すものであり、信号の流れ方向を限定するものではない。
【００８７】
また、以上既に述べた以外にも、上記実施形態や各変形例による手法を適宜組み合わせて利用しても良い。
【００８８】
その他、一々例示はしないが、本発明は、その趣旨を逸脱しない範囲内において、種々の変更が加えられて実施されるものである。
【符号の説明】
【００８９】
１                  印字ラベル作成装置
１１８              ＰＣ（操作端末））
１１８ａ            表示部（表示手段）
１１８ｂ            操作部（操作手段）
Ｌ                  印字ラベル
Ｔ                  テンプレート（定型印字情報）
【図１】
2013120481.tif 000003
【図２】
2013120481.tif 000004
【図３】
2013120481.tif 000005
【図４】
2013120481.tif 000006
【図５】
2013120481.tif 000007
【図６】
2013120481.tif 000008
【図７】
2013120481.tif 000009
【図８】
2013120481.tif 000010
【図９】
2013120481.tif 000011
【図１０】
2013120481.tif 000012
【図１１】
2013120481.tif 000013
【図１２】
2013120481.tif 000014
【図１３】
2013120481.tif 000015
【図１４】
2013120481.tif 000016